(57)【特許請求の範囲】
【請求項１】
同軸上に各々回転可能に設けられた複数の桁車と、これらの隣接する桁車間に各々介在して桁車の桁上げ動作を行う複数の桁上げ用ピニオンと、上記複数の桁車及び桁上げ用ピニオンの配列方向に延びる支軸回りに揺動可能に支持され、かつ一方向に回動する際に上記複数の桁上げ用ピニオンを桁車側から離すとともに各桁車を原点位置にリセットするリセットアームと、このリセットアームを、上記各桁上げ用ピニオンを桁車側に寄せる方向に回動させるように付勢する付勢部材とを備えたリミットスイッチにおいて、
上記リセットアームにはその支軸方向に延びる溝が形成されている一方、この溝内に当接するカム部を有するリセットレバーがリセットアームの支軸と直交する方向の支軸回りに回動自在に支持され、このリセットレバーは、その支軸回りに回動するときカム部が上記溝内をその溝方向にスライドするとともに、上記付勢部材の付勢力に抗してリセットアームを最大限に回動させてフリー状態にしたときカム部がリセットアームを介して受ける付勢部材の付勢力の作用線上に支軸が位置するように設けられていることを特徴とするリミットスイッチ。
【請求項２】
上記リセットレバーは、その操作部とカム部とが同一面上に形成されてなる請求項１記載のリミットスイッチ。
【請求項３】
上記リセットレバーは、その操作部とカム部とが支軸を介在して異なる面上に形成されてなる請求項１記載のリミットスイッチ。
【請求項４】
リミットスイッチのケースは箱型フレームの開口部に蓋を取り付けてなり、上記フレームには、上記リセットレバーの支軸を回動可能に支持する軸受部と、開口部側からこの軸受部にまで直線状に延び上記リセットレバーの支軸を軸受部に挿入するための挿入部とが形成され、この挿入部の両側壁にはそれぞれ嵌合溝が設けられている一方、上記蓋には、両側縁が上記嵌合溝に嵌合した状態で上記挿入部に挿入されかつ上記軸受部と協働してリセットレバーの支軸を回動可能に支持する軸受突起部と、リセットレバーが設定状態のときにその操作部と係合して設定状態に保持する係合突起部とが形成されている請求項３記載のリミットスイッチ。
【発明の詳細な説明】
【０００１】
【発明の属する技術分野】
本発明は、建築物の出入り口に設置されるシャッターや門扉等の開閉機に装備されるリミットスイッチに関する。
【０００２】
【従来の技術】
従来、この種のリミットスイッチとしては、例えば実公平３−４７２２８号公報及び特開平８−６４０７５号公報に開示されるように、同軸上に各々回転可能に設けられた複数の桁車と、これらの隣接する桁車間に各々介在して桁車の桁上げ動作を行う複数の桁上げ用ピニオンと、最高位の桁車の外周面又はこれと回転一体のカム輪の外周面に常にスイッチレバーの先端が接触しかつその外周面の１箇所に設けた凹部にスイッチレバーの先端が嵌まり込んだ時停止信号を出力するマイクロスイッチとを備えたいわゆるカウンター式のものが多く使用されている。
【０００３】
そして、このようなリミットスイッチを調整してシャッター等の停止位置を設定する場合には、シャッター等を所望の位置にまで押しボタン操作により開閉動作させなければならず、その間はリミットスイッチが動作をしないフリー状態に維持する必要がある。このため、リミットスイッチにおいては、桁車及び桁上げ用ピニオンの配列方向に延びる支軸回りに揺動するリセットアームを設けるとともに、このリセットアームを操作するリセット操作部材を設け、このリセット操作部材によりリセットアームをばねの付勢力に抗して一方向に回動させて各桁上げ用ピニオンを桁車側から離すとともに、各桁車をカムにより原点位置にリセットするように構成されている。上記リセット操作部材としては、上記例示の実公平３−４７２２８号公報に開示するような押しボタン式のものと、同じく特開平８−６４０７５号公報に開示するようなレバー式のものとがある。
【０００４】
【発明が解決しようとする課題】
ところが、上記従来のリセット操作部材のうち、押しボタン式のものでは、リセット操作部材を軸方向に押し込んでフリー状態にしたときばねの付勢力によりリセット操作部材が元に戻らないようにするためにリセット操作部材に突起部を設け、この突起部がフレームに形成したストッパに係合してフリー状態を維持する構成としていることから、フリー状態を解除するときにはリセット操作部材を強く引張る必要があり、その解除操作が容易でないという問題がある。
【０００５】
そこで、この問題に対処するために、リセット操作部材を押し込んで回転させることでリセット操作部材の突起部をフレーム側のストッパに係合させ、この係合の解除をリセット操作部材の回転だけで行い得るようしたものも知られている。しかし、特にシャッター開閉機の場合、開閉機が建築物の出入り口の上縁に取り付けたシャッターボックス内に配置され、リミットスイッチのリセット操作部材も高所にあってその操作はシャッターボックス下面の小さな点検口を通して行われることから、リセット操作部材を押し込んで回転させるという操作も容易でないのが実情である。
【０００６】
一方、レバー式のものでは、リセット操作部材を支軸回りの一方向に回動させてフリー状態にしたときばねの付勢力によりリセット操作部材が元に戻らないようにするために、通常、フレームにリセット操作部材の揺動をガイドするガイド孔を設けるに当たり、そのガイド孔の端部にリセット操作部材の揺動方向と直交する方向に切り込んだ係合部を設け、この係合部にリセット操作部材を係合させることが行われている。しかし、この場合、リセット操作部材を２方向に移動させる必要があり、上述の如きシャッター開閉機に使用されるリミットスイッチとしては、その移動操作が容易でないという問題がある。
【０００７】
本発明はかかる諸点に鑑みてなされたものであり、その課題とするところは、特にレバー式のリセット操作部材つまりリセットレバーによりリセットアームをばねの付勢力に抗して一方向に回動させてフリー状態にするとき、リセットレバーを単に１方向に移動操作するだけでフリー状態を維持できるようにし、操作性の向上を図り得るリミットスイッチを提供するものである。
【０００８】
【課題を解決するための手段】
上記の課題を解決するため、請求項１に係る発明は、リミットスイッチとして、同軸上に各々回転可能に設けられた複数の桁車と、これらの隣接する桁車間に各々介在して桁車の桁上げ動作を行う複数の桁上げ用ピニオンと、上記複数の桁車及び桁上げ用ピニオンの配列方向に延びる支軸回りに揺動可能に支持され、かつ一方向に回動する際に上記複数の桁上げ用ピニオンを桁車側から離すとともに各桁車を原点位置にリセットするリセットアームと、このリセットアームを、上記各桁上げ用ピニオンを桁車側に寄せる方向に回動させるように付勢する付勢部材とを備えることを前提とする。そして、上記リセットアームにその支軸方向に延びる溝を形成する一方、この溝内に当接するカム部を有するリセットレバーをリセットアームの支軸と直交する方向の支軸回りに回動自在に支持する。また、このリセットレバーとしては、その支軸回りに回動するときカム部が上記溝内をその溝方向にスライドするとともに、上記付勢部材の付勢力に抗してリセットアームを最大限に回動させてフリー状態にしたときカム部がリセットアームを介して受ける付勢部材の付勢力の作用線上に支軸が位置するように設ける構成とする。
【０００９】
この構成では、リミットスイッチの設定状態（リミットスイッチが開閉機の出力軸に駆動連結された状態）からフリー状態（リミットスイッチが開閉機の出力軸に駆動連結されていない状態）に変更するためにリセットレバーをその支軸回りに回動させると、リセットレバーのカム部がリセットアームの溝内をスライドしながらリセットアームを押圧して付勢部材の付勢力に抗して回動させ、このリセットアームが最大限に回動してフリー状態になる。このフリー状態のとき、リセットアームからリセットレバーのカム部に作用する付勢部材の付勢力はその作用線上にリセットレバーの支軸が位置するため、この付勢力に起因してリセットレバーが回転力を受けることはなく、フリー状態に維持される。このため、フリー状態に変更するためのリセットレバーの操作としては単に１方向に回動操作するだけで足りることなる。しかも、リセットレバーの回動操作中そのカム部はリセットアームの溝内にあってそこから抜けないため、変更操作が確実に行われる。
【００１０】
請求項２及び３に係る発明は、いずれも上記リセットレバーの一つの形態を提供する。すなわち、請求項２に係る発明では、上記リセットレバーは、その操作部とカム部とが同一面上に形成されてなる構成とする。この構成では、リセットレバーの成形が容易であるばかりでなく、リセットレバーの回動操作力がリセットアーム側に伝達し易いため、操作性がより向上する。
【００１１】
また、請求項３に係る発明では、上記リセットレバーは、その操作部とカム部とが支軸を介在して異なる面上に形成されてなる構成とする。この構成では、リセットレバーの操作部とカム部つまりリセットアームとの当接箇所とを異なる面上ないし位置に設定することができるので、その分配置レイアウトを適切に行うことができる。
【００１２】
請求項４に係る発明は、請求項３記載のリミットスイッチの好ましい形態を提供する。すなわち、特にリミットスイッチのケースが箱型フレームの開口部に蓋を取り付けてなる場合、上記フレームに、上記リセットレバーの支軸を回動可能に支持する軸受部と、開口部側からこの軸受部にまで直線状に延び上記リセットレバーの支軸を軸受部に挿入するための挿入部とを形成し、この挿入部の両側壁にそれぞれ嵌合溝を設ける。一方、上記蓋に、両側縁が上記嵌合溝に嵌合した状態で上記挿入部に挿入されかつ上記軸受部と協働してリセットレバーの支軸を回動可能に支持する軸受突起部と、リセットレバーが設定状態のときにその操作部と係合して設定状態に保持する係合突起部とを形成する構成とする。
【００１３】
この構成では、リミットスイッチの組み立て時には、リセットレバーの支軸をフレームの軸受部に挿入部より挿入した後、この挿入部に対し、その両側壁の嵌合溝に蓋の軸受突起部の両側縁をそれぞれ嵌合した状態のまま軸受突起部を挿入し、蓋をフレームの開口部に重ね合わせて取り付けることにより、リセットレバーの組み付けを簡単に行うことができる。また、組み立て後は、リセットレバーの支軸がフレームの支軸部と蓋の軸受突起部とに挟まれた状態で回動可能に支持され、リセットレバーの操作部全体がフレームの外面側に位置するため、この操作部の回動操作を容易に行うことができる。その上、リセットレバーを設定状態にしたときにはその操作部が蓋の係合突起部に係合して設定状態に保持されるため、リセットレバーが不用意に動いて設定位置が変化することはない。
【００１４】
【発明の実施の形態】
以下、本発明の実施の形態を図面に基づいて説明する。
図１は本発明の第１の実施形態に係るリミットスイッチを備えるシャッター開閉機の減速部を示し、１は開閉機のハウジング、２はハウジング１内にベアリング３，３を介して回転自在に配置された出力軸であって、この出力軸２は、図示していないモータからの動力をギヤ４を介して受けて回転するようになっている。
【００１５】
上記出力軸２にはタイミングギヤ５が装着され、このタイミングギヤ５にはリミットスイッチ１０の入力ギヤとしてのリミットギヤ１１が噛み合っている。リミットスイッチ１０はハウジング１内の下部に取り付けられており、リミットスイッチ１０の下方は、ハウジング１に取り外し可能に装着された防塵カバー６により覆われている。
【００１６】
上記リミットスイッチ１０は、図２ないし図４に詳示するように、フレーム１２の前壁部１２ａと後壁部１２ｂとの間に回転自在に架設された駆動シャフト１３を備え、この駆動シャフト１３の前壁部１２ａより前方に延出する端部にリミットギヤ１１が装着されている。フレーム１２の前壁部１２ａと後壁部１２ｂとの間には２つのカウンタユニット１４，１５が平面的に見て駆動シャフト１３上の点を挟んで対称に配置され、各カウンタユニット１４，１５には駆動シャフト１３の回転力がそれぞれ一連のアイドラギヤ１６，１７，１８を介して伝達されるようになっている。この２つのカウンタユニット１４，１５は、シャッターの停止位置としての上限位置及び下限位置にそれぞれ対応するものであり、その構成は同一であるので、以下の説明では一方のカウンタユニット１４のみについて説明する。
【００１７】
すなわち、上記カウンタユニット１４は、図５にも示すように、駆動シャフト１３と平行に延びるシャフト２１上にアイドラギヤ１８と共に各々回転自在に支持された４つの桁車２２，２３，２４，２５と、アイドラギヤ１８と第１位の桁車２２との間、第１位の桁車２２と第２位の桁車２３との間、第２位の桁車２３と第３位の桁車２４との間及び第３位の桁車２４と第４位である最高位の桁車２５との間にそれぞれ介在された４つの桁上げ用ピニオン２６，２７，２８，２９と、桁車２２〜２５の近傍でその配列方向に延びるシャフト３０回りに揺動可能に支持されたスイッチアーム３１と、ピニオン２６〜２９の近傍でその配列方向に延びるシャフト３２回りに揺動可能に支持された第１のリセットアーム３３と、上記スイッチアーム３１の作動アーム部３１ａの下方に配置されたマイクロスイッチ３４とを備えている。
【００１８】
上記各桁車２２〜２５の一方（アイドラギヤ１８寄り）の部分には、図６に詳示するように、それぞれギヤ２２ａ，２３ａ，２４ａ，２５ａが全周に形成されているとともに、各桁車２２〜２５の一方の側面にはそれぞれシャフト２１の貫通孔３５周囲にハート形のリセットカム（図示せず）が形成されている。また、第１位〜第３位の各桁車２２〜２４の他方（アイドラギヤ１８と反対側）の部分にはそれぞれ２枚ギヤ２２ｂ，２３ｂ，２４ｂが形成され、最高位の桁車２５の他方の部分には外周面の一個所に凹部２５ｃが形成されている。そして、ピニオン２６はアイドラギヤ１８と第１位の桁車２２のギヤ２２ａの両方に、ピニオン２７は第１位の桁車２２の２枚ギヤ２２ｂと第２位の桁車２３のギヤ２３ａの両方に、ピニオン２８は第２位の桁車２３の２枚ギヤ２３ｂと第３位の桁車２４のギヤ２４ａの両方に、ピニオン２９は第３位の桁車２４の２枚ギヤ２４ｂと最高位の桁車２５のギヤ２５ａの両方にそれぞれ噛み合うようになっていて、下位の桁車が１回転する毎に上位の桁車が１０分の１回転する桁上げ動作が行われる。
【００１９】
上記マイクロスイッチ３４は、ケース３４ａ内より出没可能に設けられた切替ボタン３４ｂと、この切替ボタン３４ｂの上方を横切って配置されかつ一端がケース３４ａに固定された板ばね３４ｃとを有している。上記スイッチアーム３１の作動アーム部３１ａはこの板ばね３４ｃに当接しており、またスイッチアーム３１は、作動アーム部３１ａとは別に、上記最高位の桁車２５の外周面に常に接触する接触突起部３１ｂを有している。そして、マイクロスイッチ３４は、設定状態においては通常、スイッチアーム３１の作動アーム部３１ａにより板ばね３４ｃが押圧され、切替ボタン３４ｂがケース３４ａ内に押し込まれてＯＮ状態になっており、上記接触突起部３１ｂが最高位の桁車２５の凹部２５ｃに嵌り込んだ時板ばね３４ｃのばね反力によりスイッチアーム３１の作動アーム部３１ａを押し上げると同時に、切替ボタン３４ｂがケース３４ａ内より突出してＯＦＦ状態となる。
【００２０】
一方、上記各ピニオン２６〜２９は、いずれもシャフト３６上に回転自在に設けられており、このシャフト３６は、第２のリセットアーム３７に支持されているとともに、第１のリセットアーム３３と係合可能に設けられている。そして、第１のリセットアーム３３をそのシャフト３２回りに一方向に回動させると第２のリセットアーム３７もそのシャフト（図示せず）回りに回動し、各ピニオン２６〜２９が桁車２２〜２５側から離れるとともに、第２のリセットアーム３７に形成した４つの押圧片（図示せず）がそれぞれ各桁車２２〜２５のリセットカムに当接して各桁車２２〜２５を原点位置にリセットするようになっている。また、この際、スイッチアーム３１が第１のリセットアーム３３から押圧力を受けてシャフト３０回りに回動してマイクロスイッチ３４がＯＮ状態となる。
【００２１】
上記第１のリセットアーム３３のシャフト３２には、上記各ピニオン２６〜２９を桁車２２〜２５側に寄せる方向に第１のリセットアーム３３を回動させるように付勢する付勢部材としてのコイルばね３８が装着されている一方、このコイルばね３８の付勢力に抗して第１のリセットアーム３３を回動操作するためのリセットレバー４０がフレーム１２の軸受部１２ｃ上に回動自在に支持されている。このリセットレバー４０は、フレーム１２の軸受部１２ｃに支持された支軸４０ａと、この支軸４０ａから上方つまりリセットアーム３３側に延びるカム部４０ｂと、支軸４０ａからフレーム１２のスリット孔１２ｄを通してフレーム１２の下方にまで延びる操作部４０ｃとからなり、カム部４０ｂと操作部４０ｃとは同一面上に形成されており、支軸４０ａはこの面から両側に突出している。
【００２２】
上記リセットレバー４０は、その支軸４０ａが第１のリセットアーム３３の支軸であるシャフト３２と平面的に見て直交するように配置されているとともに、この支軸４０ａ回りに所定の範囲内（図２に実線で示す設定状態と仮想線で示すフリー状態との間）で回動するときカム部４０ｂが第１のリセットアーム３３に当接するようになっている。この第１のリセットアーム３３には、図７に拡大詳示するように、リセットレバー４０のカム部４０ｂと当接する箇所にシャフト３２の軸線方向に延びる係合溝４１が形成されている。そして、リセットレバー４０が支軸４０ａ回りに回動するときカム部４０ｂが係合溝４１内をその溝方向にスライドするとともに、上記コイルばね３８の付勢力に抗して第１のリセットアーム３３を最大限に回動させてフリー状態にしたときカム部４０ｂが支軸４０ａから垂直上方に延び、このカム部４０ｂが第１のリセットアーム３３を介して受けるコイルばね３８の付勢力の作用線上に支軸４０ａが位置するようになっている。
【００２３】
次に、上記第１の実施形態の作動、特にリセットレバー４０による状態切替について説明する。今、リミットスイッチ１０の一方のカウンタユニット１４において、各桁上げ用ピニオン２６〜２９がそれぞれ桁車２２〜２５側に寄ってこれらと噛み合っている。このとき、開閉機の出力軸２からタイミングギヤ５及びリミットギヤ１１を介して駆動シャフト１３に入力した回転力は、アイドラギヤ１６，１７，１８を介して桁車２２〜２５側に伝達され、桁車２２〜２５とピニオン２６〜２９との間で桁上げ動作が行われる。また、リセットレバー４０は、図２に実線で示すように、操作部４０ｃが支軸４０ａより垂下し、かつカム部４０ｂが支軸４０ａより斜め上方に傾斜した状態にある。このような状態が設定状態である。
【００２４】
そして、このような設定状態からリセットレバー４０をその支軸４０ａ回りに回動させると、リセットレバー４０のカム部４０ｂから第１のリセットアーム３３に押し上げ力が作用し、このリセットアーム３３がコイルばね３８の付勢力に抗してシャフト３２回りに最大限にまで回動して各桁上げ用ピニオン２６〜２９が桁車２２〜２５側から離れる。このとき、駆動シャフト１３に入力した回転力は桁車２２〜２５側には伝達されず、フリー状態となる。
【００２５】
このフリー状態のとき、リセットレバー４０は、図２に仮想線で示すように、カム部４０ｂが支軸４０ａから垂直上方に延び、このカム部４０ｂが第１のリセットアーム３３を介して受けるコイルばね３８の付勢力の作用線上に支軸４０ａが位置するため、この付勢力に起因してリセットレバー４０が支軸４０ａ回りの回転力を受けることはなく、フリー状態に維持される。従って、リセットレバー４０の操作としては単に１方向に回動操作するだけで足り、指１本でも操作できるので、狭いところでも簡単にセットでき、操作性を高めることができる。しかも、リセットレバー４０の回動操作中そのカム部４０ｂは第１のリセットアーム３３の係合溝４１内をその溝方向にスライドし、係合溝４１内から抜け出ないため、リセットレバー４０の回動操作ひいては状態切替を確実に行うことができる。
【００２６】
さらに、上記リセットレバー４０は、その操作部４０ｃとカム部４０ｂとが同一面上に形成されてなるため、このリセットレバー４０の成形を容易にできるとともに、リセットレバー４０の操作部４０ｃでの回動操作力を第１のリセットアーム３３側に伝達し易くなり、操作性の向上をより図ることができる。
【００２７】
図８ないし図１０は本発明の第２の実施形態に係るリミットスイッチ５０を示す。このリミットスイッチ５０のケース５１は、開口部５２ａを有する箱型フレーム５２と、このフレーム５２にその開口部５２ａを覆って４個所のねじ５３止めにより取り付けられた蓋５４とからなり、このケース５１内を前後方向に貫通する駆動シャフト５５が回転自在に設けられているとともに、この駆動シャフト５５の一端にはリミットギヤ５６が装着されている。
【００２８】
また、上記ケース５１内には、図に詳示していないが、第１の実施形態に係るリミットスイッチ１０の場合と同様に、２つのカウンタユニット５８，５９が平面的に見て駆動シャフト５５上の点を挟んで対称に配置されている。各カウンタユニット５８，５９の構成は、第１の実施形態におけるカウンタユニット１４，１５のそれと同じであるが、スイッチアームの作動アーム部６１ａの上方つまり蓋５４寄りにマイクロスイッチ６２が配置されている。また第１のリセットアーム６３は、通常、そのシャフト６４に装着したコイルばね（図示せず）により付勢されて図９に実線で示す設定状態にあり、このリセットアーム６３をシャフト６４回りに設定状態から図９に仮想線で示す状態に回動させると、各桁上げ用ピニオンが桁車（共に図示せず）側から離れてフリー状態になる。
【００２９】
そして、上記第１のリセットアーム６３をコイルばねの付勢力に抗して回動操作するためのリセットレバー７０が箱型フレーム５２の軸受部５２ｂに回動可能に支持されている。このリセットレバー７０は、図１１にも示すように、箱型フレーム５２の軸受部５２ｂに支持される支軸７０ａと、この支軸７０ａの箱型フレーム５２内側の端部に設けられたカム部７０ｂと、支軸７０ａの箱型フレーム５２外側の端部に設けられた操作部７０ｃとからなり、カム部７０ｂと操作部７０ｃとは支軸７０ａを介在して異なる面上にかつ支軸７０ａの軸方向に見て互いに略直交する方向に突出して形成されている。
【００３０】
上記第１のリセットアーム６３にはそのシャフト６４の軸方向に延びる係合溝７１が形成され、この係合溝７１に上記リセットレバー７０のカム部７０ｂが当接するようになっている。そして、リセットレバー７０が支軸７０ａ回りに回動するときカム部７０ｂが係合溝７１内をその溝方向にスライドするとともに、コイルばねの付勢力に抗して第１のリセットアーム６３を最大限に回動させてフリー状態にしたとき、図１０（ｂ）に示す如くカム部７０ｂが支軸７０ａから垂直下方に延び、このカム部７０ｂが第１のリセットアーム６３を介して受けるコイルばねの付勢力の作用線上に支軸７０ａが位置するようになっている。
【００３１】
一方、上記箱型フレーム５２の側壁部には、リセットレバー７０の支軸７０ａを回動可能に支持する軸受部５２ｂが形成されているとともに、この軸受部５２ｂにリセットレバー７０の支軸７０ａを挿入するための挿入部５２ｃが開口部５２ａ側から軸受部５２ｂにまで直線状に延びて形成され、この挿入部５２ｃの両側壁にはそれぞれ１条の嵌合溝５２ｄ，５２ｄが設けられている。上記蓋５３には、箱型フレーム５２側に突出し両側縁が上記嵌合溝５２ｄ，５２ｄに嵌合可能な軸受突起部５４ａが形成されている。そして、リセットレバー７０の支軸７０ａを箱型フレーム５２の軸受部５２ｂに挿入部５２ｃを通して挿入した後、蓋５４の軸受突起部５４を上記挿入部５２ｃに軸受突起部５４の両側縁がそれぞれ挿入部５２ｃの嵌合溝５２ｄ，５２ｄに嵌合した状態で挿入し、この蓋５４を箱型フレーム５２にねじ５３止めをするとリセットレバー７０の支軸７０ａが箱型フレーム５２の軸受部５２ｂと蓋５４の軸受突起部５４ａの先端とにより挟まれて回転自在に支持されるようなっている。
【００３２】
また、上記箱型フレーム５２の側壁部には、リセットレバー７０の操作部７０ｃを横倒しのフリー状態（図１０（ｂ）に示す状態）にしたとき操作部７０ｃとの当接によりそれ以上の回動を規制するストッパ部５２ｅが形成されているとともに、上記蓋５４には、リセットレバー７０の操作部７０ｃを垂直に立てた設定状態にしたとき操作部７０ｃと係合して設定状態に保持する係合突起部５４ｂが形成されている。
【００３３】
そして、上記第２の実施形態においても、リセットレバー７０の操作部７０ｃを横倒しのフリー状態にしたときには、第１の実施形態の場合と同じく、リセットレバー７０のカム部７０ｂが第１のリセットアーム６３を介して受けるコイルばねの付勢力の作用線上に支軸７０ａが位置するため、この付勢力に起因してリセットレバー７０が支軸７０ａ回りの回転力を受けることはなく、フリー状態に維持される。従って、リセットレバー７０の操作としては単に１方向に回動操作するだけで足りるので、操作性を高めることができる。しかも、リセットレバー７０の回動操作中そのカム部７０ｂは第１のリセットアーム６３の係合溝７１内をその溝方向にスライドし、係合溝７１内から抜け出ないため、リセットレバー７０の回動操作ひいては状態切替を確実に行うことができる。
【００３４】
その上、上記リセットレバー７０の操作部７０ｃとカム部７０ｂとは支軸７０ａを介在して異なる面上に形成されているため、本実施形態の如くこの両者７０ｂ，７０ｃを箱型フレーム５２の内側と外側とに別々に配置し、操作部７０ｃを箱型フレーム５２の側壁部に沿って回動操作するという配置レイアウトを採ることができ、操作性をより高めることができる。また、リセットレバー７０を設定状態にしたときにはその操作部７０ｃが蓋５４の係合突起部５４ｂに係合して設定状態に保持されるため、リセットレバー７０が開閉機の振動などで不用意に動いて設定位置が変化することはない。
【００３５】
さらに、リミットスイッチ５０の組み立て時には、リセットレバー７０の支軸７０ａを箱型フレーム５２の軸受部５２ｂに挿入部５２ｃを通して挿入した後、この挿入部５２ｃに対し、その両側壁の嵌合溝５２ｄ，５２ｄに蓋５４の軸受突起部５４の両側縁をそれぞれ嵌合した状態のまま軸受突起部５４を挿入し、蓋５４を箱型フレーム５２の開口部５２ａに重ね合わせてねじ５３止めにより取り付けることにより、リセットレバー７０の組み付けを簡単に行うことができ、作業性の向上をも図ることができる。
【００３６】
尚、本発明は上記第１及び第２の実施形態に限定されるものではなく、その他種々の形態を包含するものである。例えば上記第１の実施形態では、各桁上げ用ピニオン２６〜２９を桁車２２〜２５側から離すとともに各桁車２２〜２５を原点位置にリセットするためのリセットアームとして、桁上げ用ピニオン２６〜２９を揺動可能に支持する第２のリセットアーム３７と、リセットレバー４０の操作力をこの第２のリセットアーム３７に伝達するための第１のリセットアーム３３とを備える場合について述べ、また第２の実施形態でもこれと同様の構成としたが、本発明は、桁上げ用ピニオンを揺動可能に支持するリセットアームに対し、リセットレバーの操作力を直接伝達するものにも同様に適用することができる。
【００３７】
また、上記第１の実施形態では、シャッター開閉機に装備されるリミットスイッチについて述べたが、本発明は、シャッター以外に門扉等の開閉機に装備されるリミットスイッチにも同様に適用できるのは勿論である。
【００３８】
【発明の効果】
以上のように、本発明のリミットスイッチによれば、リセットレバーによりリセットアームを付勢部材の付勢力に抗して回動させてフリー状態にするときにもリセットレバーを単に１方向に回動操作するだけで足りるため、その操作性を高めることができ、しかもその変更操作を確実に行うことができるので、実用性に優れた効果を有し、特にシャッター開閉機に用いる場合に有効なものである。
【００３９】
特に、請求項２に係る発明では、リセットレバーの成形を容易にできる上、リセットレバーの回動操作力がリセットアーム側に伝達し易いため、操作性の向上をより図ることができる。
【００４０】
また、請求項３に係る発明では、リセットレバーのリセットアームとの当接箇所と操作部とを異なる位置に設定することができるので、配置レイアウトを適切に行うことができるという効果をも奏する。
【００４１】
さらに、請求項４に係る発明では、リセットレバーの組み付けを簡単に行うことができる上、リセットレバーの操作部全体がフレームの外面側に位置するため、その回動操作をも容易に行うことができ、操作性の向上をより一層図ることができ、またリセットレバーが設定位置から不用意に動いて変化するのを防止できるという効果を併有する。
【図面の簡単な説明】
【図１】本発明の第１の実施形態に係るリミットスイッチを備えるシャッター開閉機の減速部の縦断側面図である。
【図２】上記リミットスイッチの側面図である。
【図３】同正面図である。
【図４】同平面図である。
【図５】カウンタユニットの平面図である。
【図６】桁車及び桁上げ用ピニオンの分解斜視図である。
【図７】フリー状態における第２のリセットアームの係合溝とリセットレバーとの係合関係を示す拡大図である。
【図８】第２の実施形態に係るリミットスイッチの平面図である。
【図９】同じくリミットスイッチの右半分を切開した正面図である。
【図１０】同側面図であり、（ａ）は設定状態を示し、（ｂ）はフリー状態を示す。
【図１１】リミットスイッチのリセットレバーを組み付ける前の状態を示す分解斜視図である。
【符号の説明】
１０，５０    リミットスイッチ
２１，３２，３６，６４    シャフト（支軸）
２２，２３，２４，２５    桁車
２６，２７，２８，２９    桁上げ用ピニオン
３３，６３    第１のリセットアーム
３７    第２のリセットアーム
３８    コイルばね（付勢部材）
４０，７０    リセットレバー
４０ａ，７０ａ    支軸
４０ｂ，７０ｂ    カム部
４０ｃ，７０ｃ    操作部
４１，７１    係合溝
５１    ケース
５２    箱型フレーム
５２ａ  開口部
５２ｂ  軸受部
５２ｃ  挿入部
５２ｄ  嵌合溝
５４    蓋
５４ａ  軸受突起部
５４ｂ  係合突起部
【図１】
0003644878.tif 000002
【図２】
0003644878.tif 000003
【図３】
0003644878.tif 000004
【図４】
0003644878.tif 000005
【図５】
0003644878.tif 000006
【図６】
0003644878.tif 000007
【図７】
0003644878.tif 000008
【図８】
0003644878.tif 000009
【図９】
0003644878.tif 000010
【図１０】
0003644878.tif 000011
【図１１】
0003644878.tif 000012